(57)【要約】【課題】本発明はゴルフクラブに関し、ゴルフの打撃練習場にて初心者がゴルフボールを打撃練習を行う場合に、ヘッドのフェースに設けられたセンサーによりインパクト時におけるゴルフボールに対する打撃の有無、打撃方向、飛距離等を確認しながらインパクトでの姿勢を正し、練習に役立てるためのものである。【解決手段】ヘッド２のフェース３にインパクト時にゴルフボール５に対する打撃位置＃１，＃２，＃３，＃４・・・毎に検知可能なセンサー４と、ゴルフクラブ１のシャフト９の上方部に取付けた表示部８とを備え、該表示部はセンサーが打撃位置毎に検知する信号に対応して点灯可能な複数の点灯表示部１１Ａ，１１Ｂ，１１Ｃ，１１Ｄ・・・と、ゴルフボールの衝撃強さに応じて衝撃力を表示可能な衝撃量表示部１２とよりなる。【選択図】　　　図１
2004081407.tif 000002
【特許請求の範囲】
【請求項１】
ヘッドのフェースにインパクト時等にゴルフボールに対する打撃位置毎に検知可能に設けられたセンサーと、ゴルフクラブのシャフトの上方部に取付られた表示部とを備え、該表示部は前記センサーが打撃位置毎に検知する信号に対応して点灯可能に設けられた複数の点灯表示部と、ゴルフボールの衝撃強さに応じて衝撃力を表示可能に設けられた衝撃量表示部とよりなるゴルフクラブ。
【請求項２】
センサーが検知する打撃位置とゴルフボールの打撃強さとに応じて制御部を介して打撃距離を表示部に表示可能に設けたことを特徴とする請求項１に記載のゴルフクラブ。
【請求項３】
前記センサーは、圧電体によりなる複数のセンサー構成片を所定組合わせに配列して形成されることを特徴とする請求項１または２に記載のゴルフクラブ。
【請求項４】
前記センサーは、圧電体により半径が異なる複数のセンサー構成片を同心円的に配列して形成されることを特徴とする請求項１，２，または３に記載のゴルフクラブ。
【請求項５】
前記センサーは、両面接着テープによりヘッドのフェースに取付られるか、またはフェースに埋込まれて取付られることを特徴とする請求項１，２，３，または４の何れかに記載のゴルフクラブ。
【請求項６】
前記センサーは、水晶、またはチタン酸バリウムとチタン酸鉛或いはチタン酸カルシウムとの固溶体、亜鉛酸鉛とチタン酸鉛との固溶体等のセラミック系固溶体、ポリ弗化ビニリデン、ＰＶＣ、ビニリデンシアナイト系共重合体等の有機高分子圧電体、亜鉛酸鉛とチタン酸鉛を合成樹脂やゴム等の結合材にて結合した無機−高分子混合系材料のうちから選ばれる１種または何れかの混合材料よりなる圧電体にて形成されることを特徴とする請求項１，２，３，４，または５に記載のゴルフクラブ。
【請求項７】
前記点灯表示部は、ランプまたは発光素子の何れかにより形成され、制御部に接続されることを特徴とする請求項１，３，または４の何れかに記載のゴルフクラブ。
【請求項８】
前記衝撃量表示部は、必要に応じて電池を電源として表示される液晶表示であり、制御部に接続されることを特徴とする請求項１，２，３，４，５，６，または請求項７の何れかに記載のゴルフクラブ。
【発明の詳細な説明】
【０００１】
【発明の属する技術分野】
本発明はゴルフクラブに関し、ゴルフの打撃練習場にて初心者がゴルフボールを打撃練習を行う場合に、ヘッドのフェースに設けられたセンサーによりインパクト時等におけるゴルフボールに対する打撃の有無、打撃方向、飛距離等を確認しながらインパクトでの姿勢を正し、練習に役立てるためのものである。
【０００２】
【従来の技術】
従来、初心者がゴルフボールを打撃練習を行う場合に、インパクトの瞬間の打撃姿勢が崩れるのを正すためのゴルフクラブとして例えば特開２００１−２５９０８８号記載の発明がある。
この発明は、図７に示すように、ゴルフクラブとしてドライバーａを対象として開発されたものであり、ドライバーａのヘッドｂの上部に発光ダイオードｃ及び圧電素子ｄが埋め込まれ、ゴルフボールの打撃時にヘッドｂに与えられた衝撃により発光ダイオードｃを点滅させ、インパクトでの無意識のヘッドアップを抑制し、スイングした場合のフォームを矯正しようとするものである。
【０００３】
【発明が解決しようとする課題】
しかしながら、図７に示す上記従来のゴルフクラブは、ドライバーａを対象として開発されたものであり、ドライバーａとはインパクトでの打撃姿勢がそれぞれ異なるその他のゴルフクラブ、例えばアイアン、パター等には適用されていない。
また、図７に示す上記従来のゴルフクラブは、ドライバーａのヘッドｂの上部に発光ダイオードｃ及び圧電素子ｄが埋め込まれ、ゴルフボールの打撃時にヘッドｂに与えられた衝撃により発光ダイオードｃをヘッドｂの上面で点滅させるだけなので、ゴルフボールにヘッドｂが当たったか否かを知ることができるが、ゴルフボールに対してヘッドｂが如何なる位置にて打撃したのかの打撃位置が不明であるため、初心者がゴルフボールを打撃する場合にゴルフボールの打撃方向を正確に捉え難い。例えば、ヘッドｂのフェースｅの先端に近い個所（トゥ側）にてゴルフボールを打撃した場合には、ゴルフボールはスライスし、反対にシャフトｆ側（ヒィール側）に近い基端側のフェースｅにて打撃した場合には、フックされることになる。
その上、発光ダイオードｃは、インパクトの瞬間、ヘッドｂの上面にて発光されるものなので、発光ダイオードｃの発光状況をスイング中に見損ずることにもなり、また初心者において発光ダイオードｃの発光状況に注意が注がれると、インパクトでの打撃姿勢がかえって崩れてしまう原因になっていた。
しかも、図７に示す上記従来のゴルフクラブは、ゴルフボールに対するヘッドｂのフェースｅでの衝撃強さを測定するための何らの方法が施されてはいなので、ゴルフクラブに如何なる大きさの衝撃が加わってゴルフボールを打撃した場合には、ゴルフボールの飛距離がどのくらいまで到るのかを会得し難かった。
【０００４】
本発明は上記従来の不都合を解決し、初心者がゴルフクラブにて打撃する場合に、ドライバーに限らずアイアンでのインパクトやパターでのパッティング等の打撃方向を正確に会得し、また飛距離を正確に捉えるのに役立ち、しかも打撃動作に対するゴルフボールの実際の打撃回数がわかり、以て打撃姿勢を矯正し、打撃の上達に役立ち、また、取扱操作が容易であり、さらには構造簡単にして製作および組付も容易で製作コストが安価なゴルフクラブを提供しようとするものである。
【０００５】
【課題を解決するための手段】
本発明は上記課題を解決し、請求項１に記載の発明は、ヘッドのフェースにインパクト時等にゴルフボールに対する打撃位置毎に検知可能に設けられたセンサーと、ゴルフクラブのシャフトの上方部に取付られた表示部とを備え、該表示部は前記センサーが打撃位置毎に検知する信号に対応して点灯可能に設けられた複数の点灯表示部と、ゴルフボールの衝撃強さに応じて衝撃力を表示可能に設けられた衝撃量表示部とよりなるという手段を採用した。
【０００６】
また、本発明の請求項２に記載の発明は、請求項１において、センサーが検知する打撃位置とゴルフボールの打撃強さとに応じて制御部を介して打撃距離を表示部に表示可能に設けたことを特徴とするという手段を採用した。
【０００７】
また、本発明の請求項３に記載の発明は、請求項１または２において、前記センサーは、圧電体によりなる複数のセンサー構成片を所定組合わせに配列して形成されることを特徴とするという手段を採用した。
【０００８】
また、本発明の請求項４に記載の発明は、請求項１，２，または３において、前記センサーは、圧電体により半径が異なる複数のセンサー構成片を同心円的に配列して形成されることを特徴とするという手段を採用した。
【０００９】
また、本発明の請求項５に記載の発明は、請求項１，２，３，または４の何れかにおいて、前記センサーは、両面接着テープによりヘッドのフェースに取付られるか、またはフェースに埋込まれて取付られることを特徴とするという手段を採用した。
【００１０】
また、本発明の請求項６に記載の発明は、請求項１，２，３，４，または５において、前記センサーは、水晶、またはチタン酸バリウムとチタン酸鉛或いはチタン酸カルシウムとの固溶体、亜鉛酸鉛とチタン酸鉛との固溶体等のセラミック系固溶体、ポリ弗化ビニリデン、ＰＶＣ、ビニリデンシアナイト系共重合体等の有機高分子圧電体、亜鉛酸鉛とチタン酸鉛を合成樹脂やゴム等の結合材にて結合した無機−高分子混合系材料のうちから選ばれる１種または何れかの混合材料よりなる圧電体にて形成されることを特徴とするという手段を採用した。
【００１１】
また、本発明の請求項７に記載の発明は、請求項１，３，または４の何れかにおいて、前記点灯表示部は、ランプまたは発光素子の何れかにより形成され、制御部に接続されることを特徴とするという手段を採用した。
【００１２】
また、本発明の請求項８に記載の発明は、請求項１，または２，３，４，５，６の何れかにおいて、前記衝撃量表示部は、必要に応じて電池を電源として表示される液晶表示であり、制御部に接続されることを特徴とするという手段を採用した。
【００１３】
【発明の実施の形態】
以下、図面に従って本発明の実施の形態の具体例を説明する。
図１は本発明のゴルフクラブをドライバーに適用した場合の一実施形態を示す斜視図、図２は同じくヘッドの一部拡大横断面図、図３は同じくシャフトに表示部を取付けた状態の断面図、図４は回路構成の一例を説明的に示すブロック図、図５は本発明のゴルフクラブをアイアンに適用した場合の第１の変形例を示す斜視図、図６は同じく本発明のゴルフクラブをパターに適用した場合の第２の変形例を示す斜視図である。
１はゴルフクラブであり、このゴルフクラブ１には図１に示すようにドライバー１Ａ、また、図５に示すようにアイアン１Ｂ、さらに、図６に示すようにグリーン上でのパッティング時に使用されるパター１Ｃがある。
【００１４】
そして、２はこれらのドライバー１Ａ、アイアン１Ｂ、パター１Ｃのヘッドであり、このヘッド２は、例えば金属、木材、合成樹脂等の剛性材により形成される。３はヘッド２のフェースであり、このフェース３は同様に金属、合成樹脂等の剛性材により形成され、耐衝撃性が発揮される。
【００１５】
４はヘッド２のフェース３に設けられたセンサーであり、このセンサー４はゴルフボール５を打撃するインパクト時にゴルフボール５に対して衝撃が加わる複数の打撃位置＃１，＃２，＃３，＃４・・・を打撃位置＃１，＃２，＃３，＃４・・・毎に検知可能に設けられる。そして、この実施形態では、センサー４は、例えば図１、図５、図６に示すように圧電体６により中心Ｏから半径Ｒ１，Ｒ２，Ｒ３，Ｒ４・・・が大小異なる複数のセンサー構成片４Ａ，４Ｂ，４Ｃ，４Ｄ・・・を同心円的に配列して形成される。
【００１６】
また、前記センサー４を形成するための前記圧電体６としては、例えば水晶、またはチタン酸バリウムとチタン酸鉛或いはチタン酸カルシウムとの固溶体、亜鉛酸鉛とチタン酸鉛との固溶体等のセラミック系固溶体、ポリ弗化ビニリデン、ＰＶＣ、ビニリデンシアナイト系共重合体等の有機高分子圧電体、亜鉛酸鉛とチタン酸鉛を合成樹脂やゴム等の結合材にて結合した無機−高分子混合系材料のうちから選ばれる１種または何れかの混合材料が最適に使用される。
【００１７】
しかも、本実施形態では、センサー４は、図１、図２に示すように、両面接着テープ７によりヘッド２のフェース３に取付られるが、取付手段は両面接着テープ７を用いて取付ける場合に限ることなく、図には示さないが接着剤を用いて接着したり、ねじを用いてねじ止めしたり、フェース３に埋込まれて取付られるようにしてもよい。
【００１８】
８はゴルフクラブのシャフト９の上方部に取付られた表示部であり、この表示部８は、例えば合成樹脂、金属等により形成される略有天箱形状のカバー部１０Ａと該カバー部１０Ａが冠脱可能に被冠される取付基体部１０Ｂとにより形成されるハウジング１０の外側に、前記センサー４が打撃位置＃１，＃２，＃３，＃４・・・毎に検知する信号に対応して点灯可能に設けられた複数、図では４個の点灯表示部１１Ａ，１１Ｂ，１１Ｃ，１１Ｄ・・・と、ゴルフボール５に対する衝撃強さに応じて衝撃力を表示可能に設けられた衝撃量表示部１２とにより形成される。
また、この表示部８をシャフト９に取付るのには、例えば前記カバー部１０Ａと該カバー部１０Ａが嵌脱可能に被冠される取付基体部１０Ｂとにより前記シャフト９を挟持する等してシャフト９に取付られる。
【００１９】
前記点灯表示部１１Ａ，１１Ｂ，１１Ｃ，１１Ｄ・・・は、例えばランプまたは発光素子が使用される。そして、ゴルフクラブ１にてゴルフボール５を打撃した場合に、ヘッド２のフェース３に設けたセンサー４が打撃位置＃１，＃２，＃３，＃４・・・毎に検知する信号によりヘッド２から離れた手元としてのシャフト９の上方部に取付けられている表示部８に、フェース３の打撃位置＃１，＃２，＃３，＃４・・・に対応して設けているランプまたは発光素子が点灯可能に設けられるので、ゴルフボール５をフェース３の如何なる打撃位置＃１，＃２，＃３，＃４・・・にて打撃したのかが一目瞭然に分かる。
従って、手元に配置された表示部８に設けた点灯表示部１１Ａ，１１Ｂ，１１Ｃ，１１Ｄ・・・の何れかが点灯されたかによりゴルフボール５をフェース３の如何なる打撃位置＃１，＃２，＃３，＃４・・・にて打撃したのかが直ちに分かる。そして、フェース３の先端側（トゥ側）位置にて打撃した時にはゴルフボール５はスライス気味になり、またシャフト９の基端側（ヒィール側）のフェース３にて打撃した時にはフック気味になるはずが、実際に打撃されたゴルフボール５の打撃方向により、本来ゴルフボール５をフェース３の打撃位置＃１，＃２，＃３，＃４・・・のうち、如何なる位置にて打撃すべきであったかを会得することができる。
【００２０】
また、ゴルフボール５を打撃し、フェース３が衝撃を受けると、この衝撃強さをフェース３に設けたセンサー４が検知するので、ゴルフクラブのシャフト９の手元に近い個所に取付られている表示部８の衝撃量表示部１２には、センサー４のセンサー構成片４Ａ，４Ｂ，４Ｃ，４Ｄ・・・が受圧する衝撃強さに応じた電気信号が発生するため、この電気信号が制御部ＣＰＵを介してゴルフボール５に対するインパクト時の衝撃力が表示される。
【００２１】
また、前記衝撃量表示部１２は、インパクト等でのゴルフボール５の飛距離を把握するものであり、この衝撃量表示部１２は、例えば図４に示すように必要に応じて電池を電源１３として表示を行うように液晶表示が用いられる。しかも、この衝撃量表示部１２は、記憶素子を備える制御部ＣＰＵに接続されている。また、液晶表示の表示形式としては、例えばセグメントにより数値を表示したり、棒グラフにより量的に衝撃量を表示されるもの等があげられる。
【００２２】
図４において、１４は電源１３をオン・オフするためのスイッチである。そして、ゴルフボール５を打撃し、ヘッド２のフェース３が衝撃を受けると、この衝撃強さをフェース３に設けた圧電体６よりなるセンサー４が検知するので、センサー４のセンサー構成片４Ａ，４Ｂ，４Ｃ，４Ｄ・・・が受圧する衝撃強さに応じた電気信号が発生し、この電気信号が制御部ＣＰＵを介してゴルフクラブ１のシャフト９の上部の手元に近い個所に取付られている表示部８に衝撃力が、例えば液晶表示としてセグメントにより数値として表示されたり、または棒グラフにより量的に表示される。
【００２３】
なお、センサー４のセンサー構成片４Ａ，４Ｂ，４Ｃ，４Ｄ・・・と表示部８の点灯表示部１１Ａ，１１Ｂ，１１Ｃ，１１Ｄ・・・とを接続するための導体部１５ａ，１５ｂ；１６ａ，１６ｂ；１７ａ，１７ｂ；１８ａ１８ｂは、シャフト９の外部または内部の何れかに配索されてもよい。
【００２４】
本発明の一実施形態のゴルフクラブ１は以上の構成からなり、例えばゴルフクラブ１として図１に示すようなドライバー１Ａ、また、図５に示すようなアイアン１Ｂを用いて初心者が打撃練習を行う場合を代表的に説明すると、先ずゴルフクラブ１のシャフト９の上方部に取付られている表示部８の外側に設けたスイッチ１４をオンし、衝撃量表示部１２の液晶表示を点灯する。
【００２５】
次いで、両手でゴルフクラブ１を把持し、ゴルフボール５に対して所望のスタンスにてアドレスし、ゴルフボール５の打撃撃練を行う。
そして、ゴルフクラブ１を所望高さに振り上げ、ゴルフボール５を打撃すると、ヘッド２のフェース３には、圧電体６により中心Ｏから半径Ｒ１、Ｒ２、Ｒ３、Ｒ４・・・が大小異なる複数のセンサー構成片４Ａ，４Ｂ，４Ｃ，４Ｄ・・・が同心円的に配列したセンサー４が設けられているので、このセンサー４のセンサー構成片４Ａ，４Ｂ，４Ｃ，４Ｄ・・・が打撃位置＃１，＃２，＃３，＃４・・・毎にゴルフボール５に対する衝撃を検知し、衝撃力の強弱に応じた電気信号が、発生される。
【００２６】
そして、ヘッド２から離れた手元に近いシャフト９の上方部に取付けた表示部８には、ゴルフボール５に対するフェース３の打撃位置＃１，＃２，＃３，＃４・・・に対応してランプまたは発光素子よりなる点灯表示部１１Ａ，１１Ｂ，１１Ｃ，１１Ｄ・・・が設けられるので、センサー４のセンサー構成片４Ａ，４Ｂ，４Ｃ，４Ｄ・・・がゴルフボール５に対する衝撃を検知した時に、発生される電気信号により点灯表示部１１Ａ、１１Ｂ，１１Ｃ，１１Ｄ・・・の何れかが点灯される。従って、ヘッド２から離れた手元の表示部８にてゴルフボール５をフェース３の如何なる打撃位置＃１，＃２，＃３，＃４・・・にて打撃したのかが一目瞭然に迅速かつ確実に分かる。そして、フェース３の先端側位置にてゴルフボール５を打撃した時には、ゴルフボール５はスライス気味になり、またシャフト９の基端側のフェース３にてゴルフボール５を打撃した時にはフック気味になるはずが、実際に打撃されたゴルフボール５の打撃方向が如何なる方向かにより、本来ゴルフボール５をフェース３の打撃位置＃１，＃２，＃３，＃４・・・のうち、如何なる位置にて打撃すべきであったかを会得することができる。
従って、ゴルフボール５のインパクトでの打撃姿勢が、スイング中にヘッドアップする等崩れることなく、しかも力むことがない自然なフォームにてねらいとする打撃方向へゴルフボール５を打撃することができる。
【００２７】
また、ゴルフボール５を打撃してフェース３が衝撃を受けると、この衝撃強さを前述のようにフェース３に設けたセンサー４が検知するので、ゴルフクラブ１のシャフト９の手元に近い個所に取付られている表示部８の衝撃量表示部１２には、センサー４のセンサー構成片４Ａ，４Ｂ，４Ｃ，４Ｄ・・・が受圧する衝撃強さに応じた電気信号が発生するため、この電気信号が制御部ＣＰＵを介して例えば液晶表示のセグメントにより衝撃力として数値表示されたり、棒グラフにより量的に表示される。従って、この衝撃量表示部１２の表示内容の大小により、ゴルフボール５の飛距離を把握することができる。
従って、ゴルフボール５のインパクトでの打撃姿勢が、スイング中にヘッドアップする等崩れることなく、しかも力むことがない自然なフォームにてねらいとする飛距離を出すことができる。
【００２８】
また、衝撃量表示部１２は、記憶素子を備えた制御部ＣＰＵに接続されているので、センサー４が受けた衝撃力の有無に伴うデータに基づき打撃動作に対するゴルフボール５の実際の打撃回数を表示することもできる。
【００２９】
なお、上記使用例ではゴルフクラブ１として、図１に示すようなドライバー１Ａや図５に示すようなアイアン１Ｂによりゴルフボール５をインパクトする場合の打撃方法を代表的に説明したが、パター１Ｃを用いてグリーン上でゴルフボール５をパッテイングを行う場合にも打撃姿勢や打撃の強弱には相違があるが、ゴルフボール５に対してセンサー４が打撃位置＃１，＃２，＃３，＃４・・・毎に検知する信号に対応して点灯表示部１１Ａ，１１Ｂ，１１Ｃ，１１Ｄ・・・の何れかが点灯されることにより打撃方向を会得できる。また、センサー４により検知するゴルフボール５に対する衝撃強さに応じて衝撃量表示部１２に表示される衝撃量によりカップインを目指したゴルフボール５の距離を習得することができる。
【００３０】
図示する上記実施形態では、ヘッド２のフェース３に取付られるセンサー４は、４個のセンサー構成片４Ａ，４Ｂ，４Ｃ，４Ｄにより形成され、４個所の打撃位置＃１，＃２，＃３，＃４によりゴルフボール５に対する衝撃が加わった場合に、４経路の電気信号が発生される場合を代表的に説明したが、図示は代表的な例示であり、センサーを形成するセンサー構成片、打撃位置、得られる電気信号の経路の増減変更は自由に選択することができる。
【００３１】
上記実施形態では、ゴルフボール５に対してセンサー４が検知する衝撃強さに応じて表示部８の衝撃量表示部１２に衝撃力を表示してゴルフボール５の飛距離を把握するようにしているが、これに限ることなくセンサー４が検知する打撃位置＃１，＃２，＃３，＃４・・・と、ゴルフボール５の打撃強さとを制御部ＣＰＵにて記憶し、計算することによりし制御部ＣＰＵを介して打撃距離を例えばメートル、ヤード等の単位を用いて表示部８に表示するようにすれば、直接的にかつ正確にゴルフボール５の飛距離を知ることができる。
【００３２】
また、図示する上記実施形態では、センサー４のセンサー構成片４Ａ，４Ｂ，４Ｃ，４Ｄ・・・は、半径Ｒ１，Ｒ２，Ｒ３，Ｒ４・・・が異なる複数のセンサー構成片４Ａ，４Ｂ，４Ｃ，４Ｄ・・・を同心円的に配列して形成されるものにつき代表的に説明したが、ゴルフボール５のスィートスポットに合わせてセンサー構成片の形状、大きさは図示する形状等に限らず自由に設計することができる。
【００３３】
【発明の効果】
本発明の請求項１に記載の発明は、ヘッドのフェースにインパクト時等にゴルフボールに対する打撃位置毎に検知可能に設けられたセンサーと、ゴルフクラブのシャフトの上方部に取付られた表示部とを備え、該表示部は前記センサーが打撃位置毎に検知する信号に対応して点灯可能に設けられた複数の点灯表示部と、ゴルフボールの衝撃強さに応じて衝撃力を表示可能に設けられた衝撃量表示部とよりなるので、初心者がゴルフクラブにて打撃する場合に、ドライバーに限らずアイアンでのインパクトや、パターでのパッテイング等、ゴルフクラブ毎に打撃方向を正確に会得でき、また、ゴルフボールの飛距離を正確に捉えるのに役立つ。しかも、ゴルフボールに対する実際の打撃回数がわかる。このような情報をもとに打撃姿勢を矯正し、打撃の上達に役立ち、取扱操作が容易になり、さらには構造簡単にして製作および組付も容易で製作コストが安価になる。
【００３４】
また、本発明の請求項２に記載の発明は、請求項１において、センサーが検知する打撃位置とゴルフボールの打撃強さとに応じて制御部を介して打撃距離を表示部に表示可能に設けたことを特徴とするので、ゴルフボールの飛距離を正確に捉えるのに役立つ。
【００３５】
また、本発明の請求項３に記載の発明は、請求項１または２において、前記センサーは、圧電体によりなる複数のセンサー構成片を所定組合わせに配列して形成されることを特徴とし、また、本発明の請求項４に記載の発明は、請求項１，２，３において、前記センサーは、圧電体により半径が異なる複数のセンサー構成片を同心円的に配列して形成されることを特徴とするので、初心者がゴルフクラブにて打撃する場合に、ヘッドのフェースに設けたセンサーが打撃位置毎に検知する信号に対応して複数の点灯表示部を点灯させることによりドライバーに限らずアイアンでのインパクトや、また、パターでのパッティング等、ゴルフクラブ毎に打撃方向を正確に会得できる。また、ゴルフボールに対してセンサーが検知する衝撃強さに応じて表示部の衝撃量表示部に衝撃力を表示するので、飛距離を正確に把握することができる。さらに、センサーは構造簡単にして多量に調達でき、製作および組付けは容易になり、製作コストは安価になる。
【００３６】
また、本発明の請求項５に記載の発明は、請求項１，２，３，または４の何れかにおいて、前記センサーは、両面接着テープによりヘッドのフェースに取付られるか、またはフェースに埋込まれて取付られることを特徴とするので、既存のゴルフクラブをそのまま利用したり、大幅な改造、加工を要することなくセンサーおよび表示具をゴルフクラブに取付ることができ、製作および組付は容易になる。
【００３７】
また、本発明の請求項６に記載の発明は、請求項１，２，３，４または５において、前記センサーは、水晶、またはチタン酸バリウムとチタン酸鉛或いはチタン酸カルシウムとの固溶体、亜鉛酸鉛とチタン酸鉛との固溶体等のセラミック系固溶体、ポリ弗化ビニリデン、ＰＶＣ、ビニリデンシアナイト系共重合体等の有機高分子圧電体、亜鉛酸鉛とチタン酸鉛を合成樹脂やゴム等の結合材にて結合した無機−高分子混合系材料のうちから選ばれる１種または何れかの混合材料よりなる圧電体にて形成されることを特徴とするので、衝撃を受けた場合に、精度良く電気信号を誘電することができ、また衝撃強さに応じた量の誘電を行うことができ、精度が高いセンサーを製作することができる。
【００３８】
また、本発明の請求項７に記載の発明は、請求項１，３，または４の何れかにおいて、前記点灯表示部は、ランプまたは発光素子の何れかにより形成され、制御部に接続されることを特徴とするので、圧電体よりなるセンサーに誘電される電気信号により点灯表示部を精度良く点灯し、ゴルフボールに対するフェースのパッティング位置を確認することができ、打撃方向を定めるのに役立つ。
【００３９】
また、本発明の請求項８に記載の発明は、請求項１，２，３，４，５，６，または７の何れかにおいて、前記衝撃量表示部は、必要に応じて電池を電源として表示される液晶表示であり、制御部に接続されることを特徴とするので、圧電体よりなるにセンサーに衝撃強さに応じて誘電される電気信号により衝撃量表示部に衝撃強さを表示することができ、ゴルフボールに対する飛距離を知るのに役立つ。
【図面の簡単な説明】
【図１】図１は本発明のゴルフクラブをドライバーに適用した場合の一実施形態を示す斜視図である。
【図２】図２は同じくヘッドの一部拡大横断面図である。
【図３】図３は同じくシャフトに表示具を取付けた状態の断面図である。
【図４】図４は同じく回路構成の一例を説明的に示すブロック図である。
【図５】図５は本発明のゴルフクラブをアイアンに適用した場合の第１の変形例を示す斜視図である。
【図６】図６は同じく本発明のゴルフクラブをパターに適用した場合の第２の変形例を示す斜視図である。
【図７】従来のこの種、ゴルフクラブを示す平面図である。
【符号の説明】
１　　　ゴルフクラブ
１Ａ　　ドライバー
１Ｂ　　アイアン
１Ｃ　　パター
２　　　ヘッド
３　　　フェース
４　　　センサー
４Ａ　　センサー構成片
４Ｂ　　センサー構成片
４Ｃ　　センサー構成片
４Ｄ　　センサー構成片
５　　　ゴルフボール
６　　　圧電体
８　　　表示部
９　　　シャフト
１０　　ハウジング
１１Ａ　点灯表示部
１１Ｂ　点灯表示部
１１Ｃ　点灯表示部
１１Ｄ　点灯表示部
１２　　衝撃量表示部
＃１　　打撃位置
＃２　　打撃位置
＃３　　打撃位置
＃４　　打撃位置
【図１】
2004081407.tif 000003
【図２】
2004081407.tif 000004
【図３】
2004081407.tif 000005
【図４】
2004081407.tif 000006
【図５】
2004081407.tif 000007
【図６】
2004081407.tif 000008
【図７】
2004081407.tif 000009